(57)【要約】  本発明の一様態によると、アイブロウスタンプは、第１本体と、前記第１本体に相対位置が調整可能に連結される第２本体と、前記第１本体と前記第２本体との一面に形成され化粧料をつけて塗布し得る眉毛形状のアプリケータと、を含むアイブロウスタンプが提供され得る。【選択図】図１
2021523768.tif 000002
【特許請求の範囲】
【請求項１】
第１本体と、
前記第１本体に相対位置が調整可能に連結される第２本体と、
前記第１本体と前記第２本体との一面に形成され、化粧料をつけて塗布し得る眉毛形状のアプリケータと、を含むアイブロウスタンプ。
【請求項２】
前記アプリケータは、前記第１本体に位置する部分と前記第２本体に位置する部分とがつながっている、請求項１に記載のアイブロウスタンプ。
【請求項３】
前記第１本体と前記第２本体とは、連結部材により連結され、
前記第１本体は、前記連結部材を中心に上下方向および左右方向のいずれか一方向以上に回転して前記第２本体との相対位置が調整可能である、請求項１に記載のアイブロウスタンプ。
【請求項４】
前記連結部材は、ピンまたはユニバーサルジョイントからなる、請求項３に記載のアイブロウスタンプ。
【請求項５】
前記第１本体は、歯車形状の突出部および複数の係止溝を含み、
前記第２本体は、前記係止溝に対応する係止突起を含み、
前記第１本体と前記第２本体とが前記連結部材により結合されるとき、前記係止突起は前記係止溝のうちのいずれかに位置される、請求項３に記載のアイブロウスタンプ。
【請求項６】
前記アプリケータはスポンジからなり、
前記第１本体と前記第２本体との相対位置の変化に応じて前記アプリケータの形状も変化する、請求項１に記載のアイブロウスタンプ。
【請求項７】
前記アプリケータを取り囲むガイドアプリケータをさらに含む、請求項１に記載のアイブロウスタンプ。
【請求項８】
前記ガイドアプリケータは、前記アプリケータに所定間隔で離間して設けられる、請求項７に記載のアイブロウスタンプ。
【請求項９】
前記アプリケータは、眉毛の外郭ラインに対応する形状で設けられるガイドアプリケータである、請求項１に記載のアイブロウスタンプ。
【請求項１０】
前記ガイドアプリケータはゴム素材からなり、
前記第１本体と前記第２本体との相対位置の変化に応じて前記ガイドアプリケータの形状も変化する、請求項９に記載のアイブロウスタンプ。
【請求項１１】
前記ガイドアプリケータは、内部が中空状で設けられる、請求項９に記載のアイブロウスタンプ。
【請求項１２】
前記第１本体および前記第２本体は、互いに接する一方が開放され、内部が中空状で設けられる第１ハウジング部および第２ハウジング部を含み、
前記第１ハウジング部および前記第２ハウジング部は、第１底部および第２底部と結合され、
前記第１底部および前記第２底部の一方に前記アプリケータが設けられる、請求項１に記載のアイブロウスタンプ。
【請求項１３】
前記第１本体は、
設定長さの分延長される突出部と、
前記突出部の一方に設けられる挿入溝と、
前記第１ハウジング部の内側に設けられる第１支持柱と、
前記第１底部の上面に設けられ、前記第１支持柱の一部を覆うように設けられる第２支持柱と、
前記突出部と重ならない位置に設けられ、突起状で設けられる第１位置調整部とを含み、
前記第２本体は、
前記挿入溝に回動可能に結合される挿入柱と、
前記第２ハウジング部の内側に設けられる第３支持柱と、
前記第２底部の上面に設けられ、前記第３支持柱の一部を覆うように設けられる第４支持柱と、
前記第１位置調整部に対応する複数の溝を含む第２位置調整部とを含む、請求項１２に記載のアイブロウスタンプ。
【請求項１４】
前記突出部は、
前記第２ハウジング部に近い方の高さがより高く、前記第２ハウジング部から遠い方の高さがより低く、
前記挿入溝は、前記突出部のうち高さの高い方に形成され、前記第２位置調整部は、前記突出部のうち高さの低い方に設けられる、請求項１３に記載のアイブロウスタンプ。
【請求項１５】
前記アプリケータの上面に複数の嵌合突起が設けられ、前記第１底部および前記第２底部に、前記嵌合突起に対応する複数の嵌合ホールが設けられる、請求項１２に記載のアイブロウスタンプ。
【発明の詳細な説明】
【技術分野】
【０００１】
本発明は、アイブロウスタンプに関するものである。
【背景技術】
【０００２】
顔の中でも眉毛は、その人の性格や印象を決める重要なところであって、眉毛をどのように化粧するかによって、他人に自分の印象を鮮明に植えつけることができる。
【０００３】
一般的に、女性はアイブロウペンシルなどにより眉毛を化粧する。しかし、このようなペンシルにより眉毛を描く場合、時間が長くかかり、両方の眉毛を同じように描くことも難しい問題がある。
【０００４】
このような問題点を補うために、最近では様々な眉毛化粧装置が発売されている。例えば、眉毛形状のホールが形成されている型板を眉毛に当ててユーザがホールを埋めることで眉毛を描くことができる。また、眉毛形状のシールを備え、ユーザが化粧液をシールにつけて眉毛に写し取ることで眉毛を描くことができる。
【０００５】
しかし、これらの眉毛化粧装置は、予め決められた形状の眉毛枠を利用するものであって、ユーザが所望の眉毛形状を選択することができない問題がある。
【先行技術文献】
【特許文献】
【０００６】
【特許文献１】韓国公開特許第１０−２０１８−０００３８５１号公報
【発明の概要】
【発明が解決しようとする課題】
【０００７】
本発明の実施例は、前記のような問題を解決するために提案されたものであり、所望の眉毛形状を選び得るアイブロウスタンプを提供しようとする。
【０００８】
また、角度調整が容易であるアイブロウスタンプを提供しようとする。
【課題を解決するための手段】
【０００９】
本発明の一様態によると、アイブロウスタンプは、第１本体と、前記第１本体に相対位置が調整可能に連結される第２本体と、前記第１本体と前記第２本体との一面に形成され、化粧料をつけて塗布し得る眉毛形状のアプリケータとを含む、アイブロウスタンプが提供され得る。
【００１０】
また、前記アプリケータは、前記第１本体に位置する部分と前記第２本体に位置する部分とがつながっている、アイブロウスタンプが提供され得る。
【００１１】
また、前記第１本体と前記第２本体とは、連結部材により連結され、前記第１本体は、前記連結部材を中心に上下または左右方向に回転して前記第２本体との相対位置が調整可能である、アイブロウスタンプが提供され得る。
【００１２】
また、前記連結部材は、ピンまたはユニバーサルジョイントからなる、アイブロウスタンプが提供され得る。
【００１３】
また、前記第１本体は歯車形状の突出部および複数の係止溝を含み、前記第２本体は前記係止溝に対応する係止突起を含み、前記第１本体と前記第２本体とが前記連結部材により結合されるとき、前記係止突起は前記係止溝のうちのいずれかに位置される、アイブロウスタンプが提供され得る。
【００１４】
また、前記アプリケータはスポンジからなり、前記第１本体と前記第２本体との相対位置の変化に応じて前記アプリケータの形状も変化する、アイブロウスタンプが提供され得る。
【００１５】
また、前記アプリケータを取り囲むガイドアプリケータをさらに含む、アイブロウスタンプが提供され得る。
【００１６】
また、前記ガイドアプリケータは、前記アプリケータに所定間隔で離間して設けられる、アイブロウスタンプが提供され得る。
【００１７】
また、前記アプリケータは、眉毛の外郭ラインに対応する形状で設けられるガイドアプリケータである、アイブロウスタンプが提供され得る。
【００１８】
また、前記ガイドアプリケータはゴム素材からなり、前記第１本体と前記第２本体との相対位置の変化に応じて前記ガイドアプリケータの形状も変化する、アイブロウスタンプが提供され得る。
【００１９】
また、前記ガイドアプリケータは、内部が中空状で設けられる、アイブロウスタンプが提供され得る。
【００２０】
また、前記第１本体および前記第２本体は、互いに接する一方が開放され、内部が中空状で設けられる第１ハウジング部および第２ハウジング部を含み、前記第１ハウジング部および前記第２ハウジング部は第１底部および第２底部と結合され、前記第１底部および前記第２底部の一方に前記アプリケータが設けられる、アイブロウスタンプが提供され得る。
【００２１】
また、前記第１本体は、設定長さの分延長される突出部と、前記突出部の一方に設けられる挿入溝と、前記第１ハウジング部の内側に設けられる第１支持柱と、前記第１底部の上面に設けられ、前記第１支持柱の一部を覆うように設けられる第２支持柱と、前記突出部と重ならない位置に設けられ、突起状で設けられる第１位置調整部とを含み、前記第２本体は、前記挿入溝に回動可能に結合される挿入柱と、前記第２ハウジング部の内側に設けられる第３支持柱と、前記第２底部の上面に設けられ、前記第３支持柱の一部を覆うように設けられる第４支持柱と、前記第１位置調整部に対応する複数の溝を含む第２位置調整部とを含む、アイブロウスタンプが提供され得る。
【００２２】
また、前記突出部は、前記第２ハウジング部に近い方の高さがより高く、前記第２ハウジング部から遠い方の高さがより低く、前記挿入溝は前記突出部のうち高さの高い方に形成され、前記第２位置調整部は前記突出部のうち高さの低い方に設けられる、アイブロウスタンプが提供され得る。
【００２３】
また、前記アプリケータの上面に複数の嵌合突起が設けられ、前記第１底部および前記第２底部に前記嵌合突起に対応する複数の嵌合ホールが設けられる、アイブロウスタンプが提供され得る。
【発明の効果】
【００２４】
本発明の実施例によるアイブロウスタンプは、所望の眉毛形状を選択できる効果がある。また、角度調整が容易である利点がある。
【図面の簡単な説明】
【００２５】
【図１】図１は、本発明の一実施例によるアイブロウスタンプの斜視図である。
【図２】図２は、図１のアイブロウスタンプからアプリケータを分離した様子を示す図である。
【図３】図３は、図１のアイブロウスタンプの底面斜視図である。
【図４】図４は、図１の分解斜視図である。
【図５】図５は、本発明の他の実施例によるアイブロウスタンプの斜視図である。
【図６】図６は、本発明のまた他の実施例によるアイブロウスタンプの斜視図である。
【図７】図７は、本発明のまた他の実施例によるアイブロウスタンプの分解斜視図である。
【発明を実施するための形態】
【００２６】
以下では、本発明の具体的な実施例について、図面を参照して詳細に説明する。
【００２７】
なお、本発明を説明するに当たって、関連する公知の構成または機能に対する具体的な説明が本発明の要旨を曖昧にし得ると判断される場合には、その詳細な説明を省略する。
【００２８】
図１は、本発明の一実施例によるアイブロウスタンプの斜視図であり、図２は、図１のアイブロウスタンプからアプリケータを分離した様子を示す図であり、図３は、図１のアイブロウスタンプの底面斜視図であり、図４は、図１の分解斜視図である。
【００２９】
図１〜図４を参照すると、本発明の一実施例によるアイブロウスタンプ１は、外観を形成する第１本体１１０と第２本体１２０とを含む本体１０と、本体１０の一方に設けられ化粧料を塗布するためのアプリケータ２０と、第１本体１１０と第２本体１２０とを互いに相対運動可能に連結する、本体１０を固定するための連結部材３０とを含み得る。
【００３０】
本実施例においてアイブロウスタンプ１は、眉毛に化粧料を塗布するためのものであり、別途提供される化粧料をアプリケータ２０に供給してから使用されることを例に挙げて説明する。しかし、本発明の思想はこれに限定されず、本発明の思想が維持される範囲内で、他の用途の化粧装置として使用され得る。また、本実施例においては、アイブロウスタンプ１を片方の眉毛に使用する形態のみで図示したが、両方の眉毛に使用するために、アイブロウスタンプ１は対称な形態を有する一対で提供され得る。
【００３１】
本体１０は、アイブロウスタンプ１の外観を形成するものであって、形状変更が可能である。また、本体１０は、第１本体１１０と、第１本体１１０に相対位置が調整可能に連結される第２本体１２０とを含み得る。本体１０は、プラスチック素材で形成され得るが、本体１０の素材はこれに限定されない。一例として、本体１０は、アルミ素材で形成され得る。また、第１本体１１０と第２本体１２０とが互いに異なる素材で形成されても良い。
【００３２】
具体的に、第１本体１１０は一方が第２本体１２０と結合され得る。この際、第１本体１１０は、一方から他方に行くにつれ厚さが狭くなり得、一方向に曲がった形状で設けられ得る。したがって、第１本体１１０の形状は、眉尻部分に対応し得る。しかし、第１本体１１０の形状はこれに限定されない。例えば、第１本体１１０は、全体的に同じ厚さと幅を有する形状で設けられ得る。
【００３３】
第１本体１１０の一方には、突出部１１１が形成され得る。具体的に、突出部１１１は、所定の高さを有するよう第１本体１１０の一方に形成されるものであって、第２本体１２０に近い一方に設けられ得る。一例として、突出部１１１は、第１本体１１０の一方に半円形で形成され得る。この際、突出部１１１は、第１本体１１０の全体高さよりも低い高さを有しても良く、第１本体１１０の上面から延長された形状で設けられ得る。本実施例においては、突出部１１１が、第１本体１１０の一方の上端部から第２本体１２０に向かって突出した半円板状のものを例に挙げて説明する。
【００３４】
突出部１１１の周面には、複数の係止溝１１２が形成され得る。係止溝１１２は、突出部１１１に既定の間隔をもって形成され、突出部１１１の外周に沿って連続して形成され得る。一例として、突出部１１１の周面に形成された係止溝１１２は、歯車形状で形成され得る。本実施例においては、突出部１１１に５つの係止溝１１２が形成されることを例に示したが、係止溝１１２の数はこれに限定されない。係止溝１１２の数は、第１本体１１０と第２本体１２０との角度調整をどのような大きさにするかに応じて決定され得る。
【００３５】
また、突出部１１１は、第１本体１１０が第２本体１２０と結合できるように、第１挿入ホール１１３を含み得る。第１挿入ホール１１３は連結部材３０が貫通するものであり、突出部１１１の中央部に形成され、第１本体１１０と第２本体１２０との回転中心として機能し得る。
【００３６】
一方、第１本体１１０の一方には第２本体１２０が設けられ得る。第２本体１２０は、第１本体１１０と連結されるが、相対角度調整が可能となるように設けられるものであって、一方が第１本体１１０と結合され得る。なお、相対角度は、第１本体１１０が長く延長される方向と、第２本体１２０が長く延長される方向とがなす角度として理解され得る。例えば、第１本体１１０と第２本体１２０は、ユーザに最初に提供される状態の際、互いに０度以上２０度以下の角度を成し得る。
【００３７】
第２本体１２０は、所定の厚さに形成され、眉毛の前の部分に対応する形状で形成され得る。なお、眉毛の前の部分とは、眉間に近い方、つまり眉頭の部分を意味する。
【００３８】
第２本体１２０は、一方に着座部１２１を含み得る。着座部１２１は、第１本体１１０の突出部１１１が着座され支持され得るものとして、第２本体１２０の上面の一方に形成され得る。なお、第２本体１２０の一方とは、第１本体１１０の一方と対向する方向と理解され得る。
【００３９】
また、第２本体１２０の上面の一方には、係止突起１２２が延長され形成され得る。係止突起１２２は、第１本体１１０の係止溝１１２に対応し得る。具体的に、第１本体１１０と第２本体１２０とが結合される場合、突出部１１１は着座部１２１に着座し、複数の係止溝１１２のうちのいずれかに係止突起１２２が位置し得る。係止溝１１２と係止突起１２２との具体的な結合は後述する。
【００４０】
着座部１２１の一方には、第２挿入ホール１２３が形成され得る。第２挿入ホール１２３は、連結部材３０が貫通するものであって、第１挿入ホール１１３に対応するように形成され得る。これにより、連結部材３０が第１挿入ホール１１３および第２挿入ホール１２３に順次貫通され得る。
【００４１】
本体１０の一方には、アプリケータ２０が設けられ得る。アプリケータ２０は、化粧料をつけて塗布するためのものであって、眉毛形状で設けられ得る。具体的に、アプリケータ２０は、結合された第１本体１１０と第２本体１２０との上方に設けられ得る。この際、アプリケータ２０は、第１本体１１０に位置する部分と、第２本体１２０に位置する部分とがつながった形状で備えられ、連続した眉毛形状で化粧料を塗布し得る。
【００４２】
また、アプリケータ２０は、本体１０の形状変更に応じて形が変形する眉毛形状のアプリケータであり得る。
【００４３】
また、アプリケータ２０は、化粧料を吸収するか、所定の量以上に化粧料をつけ得る素材で、変形が可能な素材からなり得る。一例として、アプリケータ２０はスポンジからなり得る。アプリケータ２０がスポンジからなることにより、該アプリケータ２０は本体１０の変形に応じて変形され得る。
【００４４】
第１本体１１０および第２本体１２０は、連結部材３０により結合され得る。連結部材３０は、第１本体１１０の第１挿入ホール１１３と第２本体１２０の第２挿入ホール１２３とに嵌められるものであり、連結ピン３１０およびピン固定部３２０を含み得る。具体的に、連結ピン３１０が第１本体１１０の上方から第１挿入ホール１１３および第２挿入ホール１２３を貫通すると、第２本体１２０の下方で連結ピン３１０がピン固定部３２０と結合され固定され得る。つまり、連結部材３０により第１本体１１０および第２本体１２０が結合され得る。この際、連結ピン３１０はボルトからなり、ピン固定部３２０はナットからなり得、第１本体１１０と第２本体１２０とは、既定の間隔をもって結合され得る。
【００４５】
第１本体１１０と第２本体１２０とが結合されると、第１本体１１０は連結部材３０を中心に回転され得る。具体的に、ユーザが第１本体１１０の側面に外力を加えると、第１本体１１０は第２本体１２０との離隔空間を通じて連結部材３０を中心に回転され得る。この際、第１本体１１０の係止溝１１２が回転することにより、第２本体１２０の係止突起１２２は他の係止溝１１２に位置し得る。すなわち、第１本体１１０が回転する前に係止突起１２２が位置していた係止溝１１２と、第１本体１１０が回転した後で係止突起１２２が位置する係止溝１１２は異なってくる。これにより、第１本体１１０は、第２本体１２０との相対位置が変わったままで固定され得る。すなわち、第１本体１１０と第２本体１２０とは、連結部材３０を中心に回転して相対位置が変化し得る。
【００４６】
本実施例においては、連結ピン３１０が図面基準で上下方向に延びる回転軸として機能し、第１本体１１０と第２本体１２０とは、図面基準で左右方向に回転することを例に挙げて図示するが、本発明の思想はこれに限定されない。例えば、突出部１１１と着座部１２１とは、アプリケータ２０が接着される面と垂直な方向に広く形成され、連結ピン３１０は本体１０の幅方向に挿入されてもよく、この場合、第１本体１１０と第２本体１２０とは、図面基準で上下方向に相対移動されても良い。
【００４７】
また、本実施例においては、連結部材３０がボルトとナットとからなることを例にして図示したが、連結部材３０はこれに限定されない。一例として、連結部材３０はユニバーサルジョイントからなっても良い。この場合、第１本体１１０および第２本体１２０のいずれか一方には、ユニバーサルジョイントとして機能するためのボール形状の突出部が設けられ、他方には、突出部が挿入されるための収容部が設けられ得る。この場合、第１本体１１０は左右方向と上下方向とに角度が調整され得る。具体的に、第１本体１１０が上下方向に角度が調整されると、第１本体１１０と第２本体１２０とに付着しているアプリケータ２０の高さが異なってくる。
【００４８】
以下では、前記のような構成を有する本発明の一実施例によるアイブロウスタンプ１の作用および効果について説明する。
【００４９】
まず、第１本体１１０と第２本体１２０とは、連結部材３０により結合され得る。この際、連結部材３０は、ボルトとナット、またはユニバーサルジョイントからなり得る。具体的に、連結部材３０がボルトとナットからなる場合、ボルトである連結ピン３１０は、第１本体１１０の第１挿入ホール１１３を貫通した後、第２本体１２０の第２挿入ホール１２３を貫通して、第２本体１２０の下方でナットであるピン固定部３２０と結合され得る。これにより、第１本体１１０は、連結部材３０を中心に左右方向に回転して第２本体１２０との相対位置が調整され得る。
【００５０】
また、連結部材３０がユニバーサルジョイントからなる場合、第１本体１１０は、連結部材３０であるユニバーサルジョイントによって上下または左右方向に回転可能で、第２本体１２０との相対位置が調整され得る。
【００５１】
第１本体１１０および第２本体１２０が結合されると、第１本体１１０の係止溝１１２のうちのいずれかに第２本体１２０の係止突起１２２が位置し得る。これにより、第１本体１１０が第２本体１２０と所定の角度を成して固定され得る。つまり、係止突起１２２が係止溝１１２に固定される位置に応じて、第１本体１１０と第２本体１２０との角度調整が容易となり得る。
【００５２】
第１本体１１０と第２本体１２０との上方には、アプリケータ２０が設けられ得る。アプリケータ２０は眉毛形状で設けられ、第１本体１１０の上方と第２本体１２０の上方とにつながって設けられ得る。この際、第１本体１１０の上方に設けられるアプリケータ２０の一部は、眉尻側の形状に対応し、第２本体１２０の上方に設けられるアプリケータ２０の一部は、眉頭側の形状に対応し得る。
【００５３】
ユーザは、所望の眉毛形状に応じて、第１本体１１０と第２本体１２０との相対的な位置を調整し得る。具体的に、ユーザは、アプリケータ２０が所望の眉毛形状となるように、第１本体１１０と第２本体１２０との相対的な位置を調整し得る。一例として、ユーザが一文字形状の眉毛を求める場合は、第１本体１１０の上方に設けられたアプリケータ２０の一部と第２本体１２０の上方に設けられたアプリケータ２０の一部とが一文字形状となるように、第１本体１１０を左右方向に回転させ得る。
【００５４】
また、顔の形に合わせてアイブロウスタンプ１を使用するために、ユーザは第１本体１１０と第２本体１２０との相対位置を調整し得る。具体的に、第１本体１１０の上面が第２本体１２０の上面と所定の傾斜を有するよう、第１本体１１０を上下方向に回転し得る。これにより、凹凸のある顔立ちおよび眉毛形状に応じてアイブロウスタンプ１が使用され得る。
【００５５】
所望の形状の眉毛に合わせて、第１本体１１０を第２本体１２０に固定させた後、ユーザは別途の化粧料をアプリケータ２０に塗布し得る。また、化粧料がついたアプリケータ２０を眉毛の位置に合わせて当てることができる。したがって、ユーザは本体１０およびアプリケータ２０を調整して容易に所望の形状の眉毛にして使用し得る。つまり、ユーザ所望の眉毛形状が選べられる効果がある。
【００５６】
以下では、本発明の他の実施例によるアイブロウスタンプについて、図５を参照して説明する。ただし、他の実施例には、一実施例に比べガイドアプリケータ４０’がさらに追加される点において差があるので、相違点を中心に説明し、同一部分については一実施例の説明と図面符号を援用する。
【００５７】
図５は、本発明の他の実施例によるアイブロウスタンプの斜視図である。図５を参照すると、本発明の他の実施例によるアイブロウスタンプ１’は、アプリケータ２０の外側にガイドアプリケータ４０’が設けられ得る。具体的に、ガイドアプリケータ４０’は、所定の厚さを有するように形成され、アプリケータ２０を取り囲むように所定間隔で離間して設けられ得る。この際、ガイドアプリケータ４０’は、眉毛の外郭部分に対応するものであり、ゴム材料で形成され得る。これにより、本体１０の形状が変化すれば、ガイドアプリケータ４０’の形状も本体１０の形状に応じて変化し得る。
【００５８】
具体的に、ユーザ所望の眉毛形状に応じて、第１本体１１０と第２本体１２０との角度を変化させると、第１本体１１０と第２本体１２０との上方に設けられるアプリケータ２０とガイドアプリケータ４０’の形状も変わり得る。所望の形状に変形されたアプリケータ２０とガイドアプリケータ４０’とに化粧料を塗布してユーザの眉毛に当てると、ガイドアプリケータ４０’は眉毛の外郭部分に化粧料を塗布し、アプリケータ２０はガイドアプリケータ４０’により化粧料が塗布された内側に化粧料を塗布し得る。
【００５９】
以下では、本発明のまた他の実施例によるアイブロウスタンプについて、図６を参照して説明する。ただし、また他の実施例には、他の実施例に比べ本体１０の一方にガイドアプリケータ４０’’のみ設けられる点において差があるので、相違点を中心に説明し、同一部分については一実施例の説明と図面符号を援用する。
【００６０】
図６は、本発明のまた他の実施例によるアイブロウスタンプの斜視図である。図６を参照すると、本発明のまた他の実施例によるアイブロウスタンプ１’’は、第１本体１１０と第２本体１２０との一方にガイドアプリケータ４０’’が設けられ得る。具体的に、ガイドアプリケータ４０’’は所定の厚さで設けられるものであり、内部が中空状で設けられ得る。この際、ガイドアプリケータ４０’’は、眉毛の外郭ラインに対応する形状で設けられ得る。また、ガイドアプリケータ４０’’は変形可能な素材からなり、一例として、ゴム素材からなり得る。
【００６１】
これにより、第１本体１１０と第２本体１２０との相対位置を調整すれば、第１本体１１０と第２本体１２０との一方に設けられたガイドアプリケータ４０’’の形状も変化され得る。
【００６２】
所望の形状に変形したガイドアプリケータ４０’’に化粧料をつけてユーザの眉毛に当てると、ガイドアプリケータ４０’’により眉毛の外郭ラインにのみ化粧料が塗布され得る。したがって、ユーザはアイブロウペンシルなどの化粧品を用いて、化粧料が塗布されていない外郭ラインの内側に化粧料を塗布し得る。
【００６３】
以下では、本発明のまた他の実施例によるアイブロウスタンプについて、図７を参照して説明する。ただし、また他の実施例には、一実施例に比べ本体の相対位置が調整される技術において差があるので、相違点を中心に説明し、同一部分については一実施例の説明と図面符号を援用する。
【００６４】
図７は、本発明のまた他の実施例によるアイブロウスタンプの分解斜視図である。図７を参照すると、本発明のまた他の実施例によるアイブロウスタンプ２は、第１本体５１０と第２本体５２０とを含み得る。この際、第１本体５１０と第２本体５２０とは、内部が中空状で設けられる第１ハウジング部５１０ａと第２ハウジング部５２０ａとを含み得る。また、それぞれ第１ハウジング部５１０ａおよび第２ハウジング部５２０ａに対応する第１底部５１０ｂおよび第２底部５２０ｂを含み得る。この際、第１ハウジング部５１０ａおよび第２ハウジング部５２０ａは、一面が開放された形状で設けられ、互いに接する方が開放され得る。
【００６５】
第１ハウジング部５１０ａの一方には、突出部５１１が形成され得る。突出部５１１は、第１ハウジング部５１０ａの一方から設定長さの分延長されるものであり、第２ハウジング部５２０ａに近い一方に設けられ得る。この際、突出部５１１は、一部が相対的に高い高さを有し得る。一例として、突出部５１１は、第２ハウジング部５２０ａに近い方の高さがより高く、第２ハウジング部５２０ａから遠い方の高さがより低くても良い。この際、突出部５１１のうち高さが低い方に、後述する第２ハウジング部５２０ａの第２位置調整部５２６が位置し得る。第２位置調整部５２６と第１ハウジング部５１０ａとの結合は後述する。
【００６６】
一方、第１ハウジング部５１０ａの内部には、一以上の第１支持柱５１４ａが設けられ得る。第１支持柱５１４ａは、第１底部５１０ｂとの結合のためのものであり、第１ハウジング部５１０ａの内部に形成され得る。具体的に、第１支持柱５１４ａは、第１ハウジング部５１０ａの上面内側から下部に設定長さの分延長された形状で形成され得る。
【００６７】
また、第１底部５１０ｂの上面には、一以上の第２支持柱５１４ｂが設けられ得る。第２支持柱５１４ｂは第１支持柱５１４ａに対応するものであり、第１支持柱５１４ａの一部を覆うように設けられ得る。具体的に、第２支持柱５１４ｂは、第１底部５１０ｂの上面から上部に設定長さの分延長された形状で形成され、第１支持柱５１４ａと嵌合され得る。すなわち、第１ハウジング部５１０ａと第１底部５１０ｂとが結合され得る。
【００６８】
また、第２ハウジング部５２０ａと第２底部５２０ｂとは、第３支持柱５２４ａおよび第４支持柱５２４ｂを含み得る。この際、第３支持柱５２４ａの形状は第１支持柱５１４ａに対応し、第４支持柱５２４ｂの形状は第２支持柱５１４ｂに対応し得る。これにより、第３支持柱５２４ａと第４支持柱５２４ｂとが結合され、第２ハウジング部５２０ａと第２底部５２０ｂとが結合され得る。
【００６９】
一方、突出部５１１の一方には、挿入溝５１５が形成され得る。また、第２ハウジング部５２０ａの一方には、挿入柱５２５が形成され得る。この際、挿入柱５２５は、第２ハウジング部５２０ａの内部に形成され、第３支持柱５２４ａおよび第４支持柱５２４ｂと重ならない位置に設けられ得る。具体的に、挿入溝５１５は、突出部５１１のうちの高さの高い方に形成されるものであり、挿入柱５２５が貫通され得る。この際、挿入柱５２５は、挿入溝５１５に回動可能に結合され、これにより、第１ハウジング部５１０ａと第２ハウジング部５２０ａとの相対角度調整が可能となり得る。
【００７０】
第１ハウジング部５１０ａの一方には第１位置調整部５１６が設けられ、第２ハウジング部５２０ａの一方には第２位置調整部５２６が設けられ得る。具体的に、第１位置調整部５１６は第２ハウジング部５２０ａに近い方に設けられ、第２位置調整部５２６は第１ハウジング部５１０ａに近い方に設けられ得る。また、第１位置調整部５１６は、第２位置調整部５２６に対応する形状で設けられ得る。一例として、第１位置調整部５１６は突起状で形成され、第２位置調整部５２６は、第１位置調整部５１６が挟まれ得る一以上の溝を含み得る。この際、第１位置調整部５１６は、突出部５１１と重ならない位置に設けられ得る。
【００７１】
挿入柱５２５が挿入溝５１５に嵌合されると、第１位置調整部５１６は、第２位置調整部５２６の溝のうちのいずれかに位置され得る。この際、第２位置調整部５２６は、突出部５１１のうちの高さの低い方に位置され得る。
【００７２】
第１位置調整部５１６が第２位置調整部５２６の溝のいずれの溝に位置されるかに応じて、第１本体５１０と第２本体５２０との相対角度が調整され得る。本実施例においては、第１位置調整部５１６が突起状で設けられ、第２位置調整部５２６が３つの溝を含む形状として図示したが、第１位置調整部５１６および第２位置調整部５２６の形状はこれに限定されない。一例として、第２位置調整部５２６は５つの溝を含んでも良い。
【００７３】
第１ハウジング部５１０ａの上面および第２ハウジング部５２０ａの上面には、第１表示部５１７および第２表示部５２７が設けられ得る。第１表示部５１７および第２表示部５２７は、第１本体５１０および第２本体５２０の相対角度を表示するものであり、それぞれ第１位置調整部５１６および第２位置調整部５２６に対応するように設けられ得る。具体的に、第１表示部５１７が一つ設けられ、第２表示部５２７は、第２位置調整部５２６の溝の数に対応する数で設けられ得る。一例として、第２表示部５２７は３つ設けられ得る。これにより、第１位置調整部５１６および第２位置調整部５２６によって、第１本体５１０と第２本体５２０との相対角度が調整されると、第１表示部５１７が第２表示部５２７のいずれかに対応する位置を指し示し得る。つまり、ユーザが第１本体５１０と第２本体５２０との相対角度を容易に識別することができる。
【００７４】
一方、第１底部５１０ｂおよび第２底部５２０ｂの一方には、それぞれ一以上の第１嵌合ホール５１８および第２嵌合ホール５２８が形成され得る。第１嵌合ホール５１８および第２嵌合ホール５２８は、アプリケータ６０との結合のためのものであり、後述する第１嵌合突起６１０および第２嵌合突起６２０に対応する大きさで設けられ得る。
【００７５】
第１底部５１０ｂおよび第２底部５２０ｂの一方には、アプリケータ６０が設けられ得る。この際、アプリケータ６０は、第１本体５１０および第２本体５２０と結合し得るよう一以上の第１嵌合突起６１０および第２嵌合突起６２０を含み得る。具体的に、第１嵌合突起６１０および第２嵌合突起６２０は、アプリケータ６０の上面に形成されるものであり、第１底部５１０ｂおよび第２底部５２０ｂの第１嵌合ホール５１８および第２嵌合ホール５２８に嵌合され得る。これにより、第１本体５１０と第２本体５２０との相対角度が調整されると、アプリケータ６０は、第１本体５１０と第２本体５２０との変形に応じて変形し得る。
【００７６】
以上、本発明の実施例によるアイブロウスタンプを具体的な実施形態として説明したが、これは例示に過ぎないものであり、本発明はこれに限定されるものではなく、本明細書に開示された基礎思想に基づく最も広い範囲を有するものと解釈されるべきである。当業者は、開示された実施形態を組み合わせ、置換して摘示されていない形状のパターンを実施し得るが、これもまた本発明の範囲を逸脱しないものである。さらに、当業者は、本明細書に基づいて開示された実施形態を容易に変更または変形することができ、このような変更または変形も本発明の権利範囲に属することは明らかである。
【産業上の利用可能性】
【００７７】
本発明の実施例によるアイブロウスタンプは化粧道具の産業分野に利用され得る。
【符号の説明】
【００７８】
１、１’、１’’、２：アイブロウスタンプ
１０、５０：本体
１１０、５１０：第１本体
１２０、５２０：第２本体
２０、６０：アプリケータ
３０：連結部材
４０’、４０’’：ガイドアプリケータ
【図１】
2021523768.tif 000003
【図２】
2021523768.tif 000004
【図３】
2021523768.tif 000005
【図４】
2021523768.tif 000006
【図５】
2021523768.tif 000007
【図６】
2021523768.tif 000008
【図７】
2021523768.tif 000009
【国際調査報告】
2021523768.tif 000010
2021523768.tif 000011
2021523768.tif 000012
2021523768.tif 000013